(57)【要約】  電源ＯＦＦ操作時又は電源ＯＮ操作時に認証情報の入力を受け付け、認証部１９４が受け付けた認証情報と個人情報テーブル１７３に記憶されている本人特定情報とが一致しないと判定した場合、緊急状態判定部１９５が緊急状態であると判定して緊急通知部１９６に対して緊急通知するよう指示し、かかる指示を受け付けた緊急通知部１９６が通信設定情報テーブル１７２に記憶されている通信設定情報に基づいて個人情報テーブル１７３に記憶されている緊急連絡先電話番号等に緊急通知を行う。
2009008087.tif 000002
【特許請求の範囲】
【請求項１】
少なくとも加入者の識別番号と通信を行うために必要な情報とを含む通信設定情報を記憶する取外し可能な記憶媒体を内蔵し、該記憶媒体に記憶されている情報に基づいて通信を行う携帯端末装置であって、
前記記憶媒体に記憶されている前記通信設定情報を記憶する通信設定情報記憶手段と、
当該の携帯端末装置を操作する操作者が、前記加入者であるか否かを認証する認証手段と、
前記認証手段により前記操作者が前記加入者でないと認証された場合に、緊急状態であると判定する緊急状態判定手段と、
前記緊急状態判定手段により緊急状態であると判定された場合に、前記通信設定情報記憶手段に記憶されている前記通信設定情報に基づいて所定の緊急連絡先に緊急通知を行う緊急通知手段と
を備えたことを特徴とする携帯端末装置。
【請求項２】
前記認証手段は、電源を切るための操作が行われた場合に認証を行うことを特徴とする請求項１に記載の携帯端末装置。
【請求項３】
前記認証手段は、電源を切るための操作が行われた場合に認証を行い、
前記緊急状態判定手段は、前記認証手段により前記操作者が前記加入者でないと認証された場合に、前記記憶媒体に記憶されている前記通信設定情報を前記通信設定情報記憶手段に退避することを特徴とする請求項１に記載の携帯端末装置。
【請求項４】
前記緊急状態判定手段は、前記認証手段により前記操作者が前記加入者であると認証された場合に、前記通信設定情報記憶手段に記憶されている情報を削除することを特徴とする請求項３に記載の携帯端末装置。
【請求項５】
前記緊急状態判定手段は、前記認証手段により前記操作者が前記加入者でないと認証された場合に、外部から動作していることが認識できる機能を停止し、
前記緊急通知手段は、前記緊急状態判定手段により停止させられていない機能を用いて緊急通知を行うことを特徴とする請求項１に記載の携帯端末装置。
【請求項６】
前記認証手段は、電源を入れるための操作が行われた場合に認証を行うことを特徴とする請求項１に記載の携帯端末装置。
【請求項７】
前記認証手段により前記操作者が前記加入者であると認証されたことを示す正当状態と、前記認証手段により前記操作者が前記加入者でないと認証されたことを示す不当状態との別を示す緊急フラグを記憶する緊急フラグ記憶手段をさらに備え、
前記緊急状態判定手段は、前記認証手段により前記操作者が前記加入者でないと認証された場合に前記緊急フラグを不当状態に更新し、電源を入れるための操作が行われた際に該緊急フラグが不当状態を示す場合に緊急状態であると判定することを特徴とする請求項２に記載の携帯端末装置。
【請求項８】
当該の携帯端末装置が起動中に電池を外されたか否かの電池外れ有無を示す電池外れフラグを記憶する電池外れフラグ記憶手段をさらに備え、
前記緊急状態判定手段は、前記電池外れフラグが電池外れ有を示す場合に緊急状態であると判定することを特徴とする請求項１に記載の携帯端末装置。
【請求項９】
前記緊急状態判定手段は、前記記憶媒体に記憶されている通信設定情報と前記通信設定情報記憶手段に記憶されている通信設定情報とを比較して、前記記憶媒体に記憶されている通信設定情報と前記通信設定情報記憶手段に記憶されている通信設定情報とが異なる場合に緊急状態であると判定することを特徴とする請求項１に記載の携帯端末装置。
【請求項１０】
前記認証手段は、電源を入れるための操作が行われた場合に認証を行い、
前記緊急状態判定手段は、前記認証手段により前記操作者が前記加入者であると認証された場合に、前記記憶媒体に記憶されている前記通信設定情報を前記通信設定情報記憶手段に退避することを特徴とする請求項１に記載の携帯端末装置。
【発明の詳細な説明】
【技術分野】
【０００１】
本発明は、所定の操作がなされた場合に緊急状況と判断して現在位置情報等を緊急連絡先に通知する携帯端末装置に関し、特に、ＵＳＩＭ（Universal  Subscriber  Identity  Module）カードが取り外されたり差し替えられたりした場合であっても、緊急状況を確実に通知することができる携帯端末装置に関するものである。
【背景技術】
【０００２】
従来、携帯電話機の盗難が発生した場合や携帯電話機を所持している人が誘拐された等の犯罪が発生した場合に、それらの携帯電話機から現在位置情報等を取得する技術が犯罪捜査に利用されている。【０００３】
例えば、特許文献１では、第三者により携帯電話機の電源を切られると、緊急連絡先に緊急状況を通知する技術が開示されている。具体的には、暗証番号入力や生体認証がなされずに携帯電話機の電源が切られた場合に、利用者から見て携帯電話機が動作していることを認識できる機能（表示機能、着信音出力機能、キー操作音等）を停止するとともに、携帯電話機が動作していることを認識できないＧＰＳ（Global  Positioning  System）機能、通信機能等を起動して、起動している機能を用いて携帯電話機の現在位置情報等を通知する。【０００４】
また、特許文献２では、携帯電話機のＧＰＳ機能及び通信機能を制御する回路と、その他の機能（表示機能、Ｗｅｂ機能等）を制御する回路とを別に設けて、携帯電話機の電源を切られてもＧＰＳ機能及び通信機能を起動させておき、他端末から遠隔操作を行うことで携帯電話機の現在位置情報等を取得する技術が開示されている。【０００５】
【特許文献１】特開２００６−３０４１７５号公報
【特許文献２】特開２００２−７８００１号公報
【発明の開示】
【発明が解決しようとする課題】
【０００６】
しかしながら、上記従来技術は、ＵＳＩＭカード取り付け式の第三世代携帯電話においてＵＳＩＭカードを取り外されたり他のＵＳＩＭカードに差し替えられたりすると利用することができないという問題がある。【０００７】
具体的には、上記従来技術は携帯電話機が通信可能状態であることを前提とした技術であるが、第三世代携帯電話ではＵＳＩＭカードを取り外されると通信を行えなくなるため、それらの携帯電話機から現在位置情報等を取得することができなくなる。【０００８】
また、第三世代携帯電話は、取り付けられているＵＳＩＭカードに依存して動作するため、ＵＳＩＭカードを差し替えられると電話番号等が変更され、緊急状況を通知することができなくなる。【０００９】
最近では、ＵＳＩＭカード取り付け式の第三世代携帯電話が急速に普及しており、ＵＳＩＭカードを取り外すことで携帯電話機が通信できなくなることが一般的に知られている。このような状況下で、携帯電話機のＵＳＩＭカードが取り外されたり差し替えられたりした場合であっても、携帯電話機が緊急状況を通知できる技術をいかにして実現するかが重要な課題となっている。【００１０】
本発明は、上記課題を解消するためになされたものであって、ＵＳＩＭカードが取り外されたり差し替えられたりした場合であっても、緊急状況を確実に通知することができる携帯端末装置を提供することを目的とする。
【課題を解決するための手段】
【００１１】
上述した課題を解決し、目的を達成するために、本発明の一つの態様では、少なくとも加入者の識別番号と通信を行うために必要な情報とを含む通信設定情報を記憶する取外し可能な記憶媒体を内蔵し、該記憶媒体に記憶されている情報に基づいて通信を行う携帯端末装置であって、前記記憶媒体に記憶されている前記通信設定情報を記憶する通信設定情報記憶手段と、当該の携帯端末装置を操作する操作者が、前記加入者であるか否かを認証する認証手段と、前記認証手段により前記操作者が前記加入者でないと認証された場合に、緊急状態であると判定する緊急状態判定手段と、前記緊急状態判定手段により緊急状態であると判定された場合に、前記通信設定情報記憶手段に記憶されている前記通信設定情報に基づいて所定の緊急連絡先に緊急通知を行う緊急通知手段とを備えたことを特徴とする。【００１２】
また、本発明の他の態様では、前記認証手段は、電源を切るための操作が行われた場合に認証を行うことを特徴とする。【００１３】
また、本発明の他の態様では、前記認証手段は、電源を切るための操作が行われた場合に認証を行い、前記緊急状態判定手段は、前記認証手段により前記操作者が前記加入者でないと認証された場合に、前記記憶媒体に記憶されている前記通信設定情報を前記通信設定情報記憶手段に退避することを特徴とする。【００１４】
また、本発明の他の態様では、前記緊急状態判定手段は、前記認証手段により前記操作者が前記加入者であると認証された場合に、前記通信設定情報記憶手段に記憶されている情報を削除することを特徴とする。【００１５】
また、本発明の他の態様では、前記緊急状態判定手段は、前記認証手段により前記操作者が前記加入者でないと認証された場合に、外部から動作していることが認識できる機能を停止し、前記緊急通知手段は、前記緊急状態判定手段により停止させられていない機能を用いて緊急通知を行うことを特徴とする。【００１６】
また、本発明の他の態様では、前記認証手段は、電源を入れるための操作が行われた場合に認証を行うことを特徴とする。【００１７】
また、本発明の他の態様では、前記認証手段により前記操作者が前記加入者であると認証されたことを示す正当状態と、前記認証手段により前記操作者が前記加入者でないと認証されたことを示す不当状態との別を示す緊急フラグを記憶する緊急フラグ記憶手段をさらに備え、前記緊急状態判定手段は、前記認証手段により前記操作者が前記加入者でないと認証された場合に前記緊急フラグを不当状態に更新し、電源を入れるための操作が行われた際に該緊急フラグが不当状態を示す場合に緊急状態であると判定することを特徴とする。【００１８】
また、本発明の他の態様では、当該の携帯端末装置が起動中に電池を外されたか否かの電池外れ有無を示す電池外れフラグを記憶する電池外れフラグ記憶手段をさらに備え、前記緊急状態判定手段は、前記電池外れフラグが電池外れ有を示す場合に緊急状態であると判定することを特徴とする。【００１９】
また、本発明の他の態様では、前記緊急状態判定手段は、前記記憶媒体に記憶されている通信設定情報と前記通信設定情報記憶手段に記憶されている通信設定情報とを比較して、前記記憶媒体に記憶されている通信設定情報と前記通信設定情報記憶手段に記憶されている通信設定情報とが異なる場合に緊急状態であると判定することを特徴とする。【００２０】
また、本発明の他の態様では、前記認証手段は、電源を入れるための操作が行われた場合に認証を行い、前記緊急状態判定手段は、前記認証手段により前記操作者が前記加入者であると認証された場合に、前記記憶媒体に記憶されている前記通信設定情報を前記通信設定情報記憶手段に退避することを特徴とする。
【発明の効果】
【００２１】
本発明の一つの態様によれば、第三者により携帯端末装置を操作された場合に緊急状況を自動的に通知することができるという効果を奏する。【００２２】
また、本発明の一つの態様によれば、第三者により携帯端末装置が電源ＯＦＦ操作された場合に緊急状況を自動的に通知することができるという効果を奏する。【００２３】
また、本発明の一つの態様によれば、携帯端末装置から記憶媒体が取り外されたり差し替えられたりした場合であっても、所定の記憶部に退避されている通信設定情報を用いて緊急状況を確実に通知することができるという効果を奏する。【００２４】
また、本発明の一つの態様によれば、所有者により携帯端末装置が電源ＯＦＦ操作された場合に、所定の記憶部に退避された個人情報を削除することができるという効果を奏する。例えば、加入者が携帯端末装置を交換する場合や破棄する場合等に携帯端末装置から個人情報を含む通信設定情報を削除する必要がなくなる。【００２５】
また、本発明の一つの態様によれば、あたかも携帯端末装置が正常終了したかのように見せかけて、第三者に気づかれることなく緊急状況を通知することができるという効果を奏する。【００２６】
また、本発明の一つの態様によれば、第三者により携帯端末装置が電源ＯＮ操作された場合に緊急状況を自動的に通知することができるという効果を奏する。【００２７】
また、本発明の一つの態様によれば、第三者により携帯端末装置の電源を切られた後、その携帯端末装置の電源を入れられた場合に緊急状況を自動的に通知することができるという効果を奏する。【００２８】
また、本発明の一つの態様によれば、携帯端末装置が電源ＯＦＦ操作されずに電池を抜かれた後、その携帯端末装置の電源を入れられた場合に緊急状況を自動的に通知することができるという効果を奏する。【００２９】
また、本発明の一つの態様によれば、携帯端末装置から記憶媒体が取り外されたり差し替えられたりした場合に、緊急状況を自動的に通知することができるという効果を奏する。【００３０】
また、本発明の一つの態様によれば、携帯端末装置から記憶媒体が取り外されたり差し替えられたりした場合であっても、所定の記憶部に退避されている通信設定情報を用いて緊急状況を確実に通知することができるという効果を奏する。
【図面の簡単な説明】
【００３１】
【図１】図１は、本実施例に係る携帯電話機の概要を説明するための説明図である。
【図２】図２は、本実施例に係る携帯電話機の構成を示す機能ブロック図である。
【図３】図３は、図２に示した通信設定情報テーブルに退避するＵＳＩＭカードに記憶されている情報の一例を示す図である。
【図４】図４は、図２に示した個人情報テーブルの一例を示す図である。
【図５】図５は、図２に示した携帯電話機による電源ＯＦＦ操作時の処理手順を示すフローチャートである。
【図６】図６は、ＵＳＩＭカードが取り外された状態で電源ＯＮ操作された携帯電話機の処理手順を示すフローチャートである。
【図７】図７は、ＵＳＩＭカードが取り付けられている状態で電源ＯＮ操作された携帯電話機の処理手順を示すフローチャートである。
【符号の説明】
【００３２】
１００  携帯電話機
１１０  通信部
１２０  表示部
１３０  入力部
１４０  スピーカ
１５０  マイクロフォン
１６０  ＧＰＳ部
１７０  記憶部
１７１  緊急フラグ
１７２  通信設定情報テーブル
１７３  個人情報テーブル
１７４  電池外れフラグ
１７５  通知済フラグ
１８０  ＵＳＩＭカード
１９０  制御部
１９１  通話処理部
１９２  メール処理部
１９３  位置特定部
１９４  認証部
１９５  緊急状態判定部
１９６  緊急通知部
【発明を実施するための最良の形態】
【００３３】
以下に添付図面を参照して、本発明にかかる携帯端末装置の好適な実施例を詳細に説明する。なお、この実施例によりこの発明が限定されるものではない。
【実施例】
【００３４】
まず、本実施例に係る携帯電話機の概要について説明する。図１は、本実施例に係る携帯電話機の概要を説明するための説明図である。同図に示すように、携帯電話機１００は、ＵＳＩＭカード１８０を取り付けることができる携帯電話機であり、通信部１１０と、表示部１２０と、記憶部１７０とを有し、ＵＳＩＭカード１８０が取り付けられている。【００３５】
通信部１１０は、図示しない基地局を介した音声通信及びデータ通信の通信制御を行う機能部である。表示部１２０は、液晶パネル等からなる表示デバイスである。記憶部１７０は、フラッシュメモリ等の不揮発性メモリからなる記憶デバイスであり、携帯電話機１００に入力されるパスワード等を照合するための本人特定情報や緊急状況の通知先となる緊急連絡先情報等を記憶する。【００３６】
ＵＳＩＭカード１８０は、携帯電話機１００に取り外しすることができるＩＣ（Integrated  Circuit）カードであり、携帯電話機１００の電話番号や通信を行うために必要となる情報等（以下、「通信設定情報」と言う）を記憶する。通信部１１０は、ＵＳＩＭカード１８０に記憶されている通信設定情報に基づいて音声通信及びデータ通信の通信制御を行う。【００３７】
ここで、図１に示すように、窃盗者Ｂにより携帯電話機１００を盗まれた場合（ステップＳ１）、携帯電話機１００の電源を切られることが考えられる。近年の携帯電話機に緊急状況を自動通知する機能が備えられていることが一般的に知られているからである。また、ＵＳＩＭカード１８０を取り外すことで通信できなくなるので、ＵＳＩＭカード１８０を取り外されることも考えられる。【００３８】
そこで、本発明に係る携帯電話機１００では、電源ＯＦＦ操作時にパスワード入力を受け付け、正当なパスワードを入力されずに電源ＯＦＦ操作をされると（ステップＳ２）、ＵＳＩＭカード１８０に記憶されている通信設定情報を記憶部１７０に退避させる（ステップＳ３）。これにより、通信部１１０は、ＵＳＩＭカード１８０を取り外されても記憶部１７０に退避された通信設定情報を用いて通信制御を行うことができる。【００３９】
そして、外観から携帯電話機１００が起動していると認識できる機能を停止するとともに、緊急通知するために必要となる機能を起動させたままとする（ステップＳ４）。図１の例では、表示部１２０を停止し、通信部１１０及び記憶部１７０を起動させたままとする。以下では、外観から携帯電話機１００が起動していると認識できる機能を停止することを「見かけ上の電源ＯＦＦにする」と表記し、携帯電話機１００の全機能を停止することを「通常の電源ＯＦＦにする」と表記する。【００４０】
その後、携帯電話機１００は、記憶部１７０に退避された通信設定情報を用いて緊急連絡先に緊急通知する（ステップＳ５）。なお、見かけ上の電源ＯＦＦにする理由は、あたかも携帯電話機１００が正常終了したかのように見せかけて、窃盗者Ｂに気づかれることなく緊急通知するためである。【００４１】
このように、本発明に係る携帯電話機１００は、窃盗者Ｂにより電源ＯＦＦ操作がされた場合に、ＵＳＩＭカード１８０に記憶されている通信設定情報を記憶部１７０に退避するとともに見かけ上の電源ＯＦＦにするので、携帯電話機１００の電源を切られたり、ＵＳＩＭカード１８０を取り外されたりしても通信可能状態を維持して緊急通知を行うことができる。【００４２】
次に、本実施例に係る携帯電話機の構成について説明する。図２は、本実施例に係る携帯電話機の構成を示す機能ブロック図である。同図に示すように、携帯電話機１００は、通信部１１０と、表示部１２０と、入力部１３０と、スピーカ１４０と、マイクロフォン１５０と、ＧＰＳ部１６０と、記憶部１７０と、制御部１９０とを有する。また、携帯電話機１００には、ＵＳＩＭカード１８０が取り付けられている。【００４３】
通信部１１０は、ＵＳＩＭカード１８０に記憶されている通信設定情報に基づいて図示しない基地局を介した音声通信及びデータ通信の通信制御を行う機能部である。表示部１２０は、液晶パネル等からなる表示デバイスである。【００４４】
入力部１３０は、数字及び文字等を入力するテンキー、携帯電話機１００を停止する電源ＯＦＦキー、携帯電話機１００を起動する電源ＯＮキー等からなる入力デバイスである。【００４５】
携帯電話機１００は、電源ＯＦＦ操作時及び電源ＯＮ操作時に正当な所有者による操作であることを確認するためのパスワード入力を受け付け、このパスワード入力は入力部１３０を用いて行われる。そして、入力部１３０は、入力されたパスワードを後述する認証部１９４に出力する。【００４６】
ここで、パスワードの入力方法について、電源ＯＦＦ操作時と電源ＯＮ操作時とに分けて説明する。電源ＯＦＦ操作時のパスワード入力は、携帯電話機１００が起動している状態で入力部１３０を用いて行う。そして、ダイヤル時のように表示部１２０上に入力したパスワードが表示されている状態で入力部１３０の電源ＯＦＦキーを押下して携帯電話機１００の電源を切る。すなわち、表示部１２０上にパスワード入力を促す画面を表示することはない。これにより、電源ＯＦＦ操作時にパスワード入力が必要になることを窃盗者に察知されないようにすることができる。【００４７】
電源ＯＮ操作時のパスワード入力方法は、通常の電源ＯＦＦ状態から電源ＯＮ操作する場合と、見かけ上の電源ＯＦＦ状態から電源ＯＮ操作する場合とで異なる。通常の電源ＯＦＦ状態から電源ＯＮ操作する場合のパスワード入力は、入力部１３０の電源ＯＮキーを押下して携帯電話機１００が起動した後、自動的に表示されるパスワード入力画面に対して行う。なお、パスワード入力画面を介さずに、携帯電話機１００が起動して表示部１２０に初期画面が表示された後、一定時間内（例えば、３０秒以内）に入力された情報をパスワードとして受け付けるように構成してもよい。これにより、電源ＯＮ操作時にパスワード入力が必要になることを窃盗者に察知されないようにすることができる。【００４８】
また、見かけ上の電源ＯＦＦ状態から電源ＯＮ操作する場合のパスワード入力は、見かけ上の電源ＯＦＦ状態で入力部１３０を用いて行う。このとき、表示部１２０は停止しているので表示部１２０にパスワードは表示されない。そして、入力部１３０の電源ＯＮキーを押下して携帯電話機１００を起動する。これにより、電源ＯＮ操作時にパスワード入力が必要になることを窃盗者に察知されないようにすることができる。なお、携帯電話機１００が起動した後、一定時間内に入力された情報をパスワードとして受け付けるように構成してもよい。【００４９】
なお、携帯電話機１００が指紋認証機能や静脈認証機能等を備える場合は、上記のパスワード入力と同様のタイミングで人差し指等のかざし操作を行うことで認証情報の入力を受け付ける。【００５０】
スピーカ１４０は、音声を出力する装置であり、例えば、着信があった場合やメールを受信した場合に着信音を出力したり、後述する通話処理部１９１から入力された通話相手の音声を出力したりする。【００５１】
マイクロフォン１５０は、周囲の音声を収集して通話処理部１９１に出力する装置であり、例えば、通話時に利用者の音声を収集する。ＧＰＳ部１６０は、図示しないＧＰＳ人口衛星と通信して緯度及び経度情報を取得して、取得した緯度及び経度情報を後述する位置特定部１９３に出力する装置である。【００５２】
記憶部１７０は、フラッシュメモリ等の不揮発性メモリからなる記憶デバイスであり、緊急フラグ１７１と、通信設定情報テーブル１７２と、個人情報テーブル１７３と、電池外れフラグ１７４と、通知済フラグ１７５とを記憶する。【００５３】
緊急フラグ１７１は、携帯電話機１００が正当なパスワードを入力されて電源を入れられた状態（以下、「正当状態」と言う）と、不当なパスワードを入力されて電源を切られた状態（以下、「不当状態」と言う）との２種類の状態を示すデータである。以下では、「正当状態」である場合は緊急フラグ１７１を「０」とし、「不当状態」である場合は緊急フラグ１７１を「１」とする。【００５４】
通信設定情報テーブル１７２は、ＵＳＩＭカード１８０に記憶されている通信設定情報を退避するためのテーブルである。図３は、図２に示した通信設定情報テーブル１７２に退避するＵＳＩＭカード１８０に記憶されている情報の一例を示す図である。同図に示すような情報を通信設定情報テーブル１７２に退避することで、携帯電話機１００はＵＳＩＭカード１８０を取り外されても通信可能な状態を維持することができる。【００５５】
個人情報テーブル１７３は、携帯電話機１００に入力されるパスワード等を照合するための本人特定情報及び緊急通知先の連絡先等を記憶するテーブルである。図４は、図２に示した個人情報テーブル１７３の一例を示す図である。同図に示すように、個人情報テーブル１７３は、パスワード、指紋認証情報、静脈認証情報、緊急連絡先電話番号及び緊急連絡先メールアドレスを記憶する。【００５６】
パスワードは、英数字等からなるパスワード情報が記憶される。指紋認証情報は、携帯電話機１００が指紋認証機能を有する場合に記憶される情報であり、所有者の指紋の特徴量情報が記憶される。静脈認証情報は、携帯電話機１００が静脈認証機能を有する場合に記憶される情報であり、所有者の静脈の特徴量情報が記憶される。【００５７】
緊急連絡先電話番号は、緊急状況の通知先電話番号が記憶される。緊急連絡先メールアドレスは、緊急状況の通知先メールアドレスが記憶される。緊急連絡先電話番号及び緊急連絡先メールアドレスは、例えば、家族の連絡先、特定のサーバのアドレス、警察等の連絡先等である。【００５８】
電池外れフラグ１７４は、携帯電話機１００が起動している状態で電池パックを抜かれたか否かを示すデータである。以下では、電源ＯＦＦキーを押下されて電源を切られた場合は電池外れフラグ１７４を「０」とし、それ以外の場合（携帯電話機１００が起動している状態で電池パックを抜かれた場合等）は電池外れフラグ１７４を「１」とする。電池外れフラグ１７４の状態が更新されるタイミングについては後に詳述する。【００５９】
通知済フラグ１７５は、後述する緊急通知部１９６により緊急通知が行われたか否かを示すデータである。この通知済フラグ１７５は、後述する緊急状態判定部１９５が表示部１２０上に、例えば「○月○日○時○分、緊急状況を△△△＠△△△に通知しました」という緊急通知結果を表示する際に用いられる。以下では、緊急通知されていない場合は通知済フラグ１７５を「０」とし、緊急通知された場合は通知済フラグ１７５を「１」とする。【００６０】
ＵＳＩＭカード１８０は、携帯電話機１００に取り外しすることができるＩＣカードであり、通信設定情報を記憶する。上述したように、通信部１１０は、ＵＳＩＭカード１８０に記憶されている通信設定情報に基づいて音声通信及びデータ通信の通信制御を行うが、緊急通知を行う際は通信設定情報テーブル１７２に記憶されている通信設定情報に基づいて通信制御を行う。【００６１】
制御部１９０は、携帯電話機１００を全体制御する制御部であり、例えば、他の電話機と通話する際の通話制御、電子メールの送受信を行う電子メール制御、インターネットを介してＷｅｂページを閲覧するＷｅｂ制御等を行う。【００６２】
この制御部１９０は、通話処理部１９１と、メール処理部１９２と、位置特定部１９３と、認証部１９４と、緊急状態判定部１９５と、緊急通知部１９６とを有する。通話処理部１９１は、基地局及び電話交換網を介した呼接続等の通話接続処理等を行う処理部である。メール処理部１９２は、電子メールの作成処理、送信処理、受信処理及び表示処理等の電子メールに係る各種処理を行う処理部である。【００６３】
位置特定部１９３は、通信圏内の基地局のエリア情報や、ＧＰＳ部１６０より受け付けた緯度及び経度情報を用いて携帯電話機１００の現在位置を特定して、特定した現在位置情報を緊急通知部１９６に出力する機能部である。【００６４】
認証部１９４は、入力部１３０を介して入力されたパスワードと個人情報テーブル１７３に記憶されているパスワードとが一致するか否かを認証し、一致する場合は「正当」とし、一致しない場合又はパスワードが入力されなかった場合は「不当」とする認証結果を緊急状態判定部１９５に出力する機能部である。【００６５】
なお、携帯電話機１００が指紋認証機能又は静脈認証機能を有する場合には、認証部１９４は、例えば、図示しないかざし部に人差し指等のかざし操作がされると指紋又は静脈の特徴量情報を取得し、取得した特徴量情報と個人情報テーブル１７３に記憶されている指紋認証情報又は静脈認証情報とが一致するか否かを判定する。【００６６】
緊急状態判定部１９５は、携帯電話機１００が電源ＯＦＦ操作又は電源ＯＮ操作された場合に、緊急状態であるか否かを判定して、緊急状態であると判定した場合に緊急通知部１９６に対して緊急通知するよう指示する機能部である。緊急状態であるか否かの判定は、認証部１９４から受け付ける認証結果、緊急フラグ１７１の値及び電池外れフラグ１７４の値に基づいて行う。以下に、電源ＯＦＦ操作時と電源ＯＮ操作時とに分けて、緊急状態判定部１９５の処理について説明する。【００６７】
まず、電源ＯＦＦ操作時の緊急状態判定部１９５の処理について説明する。電源ＯＦＦ操作時では、緊急フラグ１７１及び電池外れフラグ１７４がいかなる値であっても、認証部１９４から受け付けた電源ＯＦＦ操作時の認証結果が「不当」である場合（すなわち、携帯電話機１００の所有者以外の者により電源ＯＦＦ操作された場合）、緊急状態判定部１９５は、緊急状態であると判定し、緊急通知部１９６に対して緊急通知するよう指示する。【００６８】
かかる場合に、緊急状態判定部１９５は、緊急フラグ１７１を「１（不当状態）」に更新するとともに、ＵＳＩＭカード１８０に記憶されている通信設定情報を通信設定情報テーブル１７２に退避する。その後、携帯電話機１００を見かけ上の電源ＯＦＦにする。例えば、表示部１２０、スピーカ１４０及びマイクロフォン１５０を停止し、それ以外の通信部１１０等を起動させたままとする。【００６９】
緊急フラグ１７１を「１（不当状態）」に更新する理由は、不当なパスワードを入力されて電源を切られたという状態を維持することで、電源ＯＮ操作時にも緊急通知することができるようにするためである。なお、電源ＯＮ操作時の緊急通知処理については後述する。【００７０】
一方、認証部１９４から受け付けた認証結果が「正当」である場合（すなわち、携帯電話機１００の所有者により電源ＯＦＦ操作された場合）、緊急状態判定部１９５は、緊急状態でないと判定し、緊急通知部１９６に対して指示しない。【００７１】
かかる場合に、緊急状態判定部１９５は、電池外れフラグ１７４を「０（電池外れ無）」に更新するとともに、通信設定情報テーブル１７２に記憶されている通信設定情報を削除した後、携帯電話機１００の電源を切る。なお、通信設定情報テーブル１７２に記憶されている情報を削除しないように構成してもよい。【００７２】
次に、電源ＯＮ操作時の緊急状態判定部１９５の処理について説明する。電源ＯＮ操作時の緊急状態判定部１９５の処理は、（１）緊急フラグ１７１が「１（不当状態）」の場合と、（２）緊急フラグ１７１が「０（正当状態）」かつ電池外れフラグ１７４が「１（電池外れ有）」の場合と、（３）緊急フラグ１７１が「０（正当状態）」かつ電池外れフラグ１７４が「０（電池外れ無）」の場合とに分けられる。以下に、（１）〜（３）に場合分けして、緊急状態判定部１９５の処理について説明する。【００７３】
最初に、（１）緊急フラグ１７１が「１（不当状態）」の場合について説明する。電池外れフラグ１７４がいかなる値であっても、緊急フラグ１７１が「１（不当状態）」の場合（すなわち、携帯電話機１００の所有者以外の者により電源ＯＦＦ操作された後に電源ＯＮ操作された場合）、緊急状態判定部１９５は、携帯電話機１００にＵＳＩＭカード１８０が取り付けられているか否かを判定する。【００７４】
ＵＳＩＭカード１８０が取り付けられていない場合、認証部１９４から受け付けた電源ＯＮ操作時の認証結果が「不当」ならば、緊急状態判定部１９５は、緊急状態であると判定して緊急通知部１９６に対して緊急通知するよう指示する。かかる場合に、緊急状態判定部１９５は、携帯電話機１００を見かけ上の電源ＯＦＦにする。【００７５】
一方、認証結果が「正当」ならば、緊急状態判定部１９５は、ＵＳＩＭカード１８０が取り外された状態で携帯電話機１００を緊急使用するか否かを利用者に問い合わせる。この問い合わせを行う理由は、ＵＳＩＭカード１８０だけが盗まれた場合に、所有者が携帯電話機１００を使用したい場合があるからである。【００７６】
利用者が緊急使用を望む場合、緊急状態判定部１９５は、通信設定情報テーブル１７２に記憶されている通信設定情報を用いて携帯電話機１００を通信可能な状態にする。これにより、利用者はＵＳＩＭカード１８０が取り外された状態であっても携帯電話機１００を使用することができる。この場合においても、緊急状態判定部１９５は、緊急状態であると判定して緊急通知部１９６に対して緊急通知するよう指示する。【００７７】
利用者が緊急使用を望まない場合、緊急状態判定部１９５は、電池外れフラグ１７４を「１（電池外れ有）」に更新し、携帯電話機１００を起動する。その後、通知済フラグ１７５が「１（通知有）」の場合には表示部１２０上に、例えば「○月○日○時○分、緊急状況を△△△＠△△△に通知しました」という緊急通知結果を表示し、通知済フラグ１７５を「０（通知無）」に更新する。これにより、利用者は緊急通知されたことを随時確認することができる。【００７８】
ここで、電池外れフラグ１７４を「１（電池外れ有）」に更新する理由について説明する。本来、携帯電話機１００が起動している状態で電池パックを抜かれた場合に、電池外れフラグ１７４を「１（電池外れ有）」に更新するべきだが、瞬間的に電源が切れるためかかる処理を行うことができない。したがって、携帯電話機１００が起動している間は常に電池外れフラグ１７４を「１（電池外れ有）」とし、正当なパスワードを入力されて電源ＯＦＦ操作された場合のみ「０（電池外れ無）」に更新する。【００７９】
ＵＳＩＭカード１８０が取り付けられている場合、緊急状態判定部１９５は、ＵＳＩＭカード１８０に記憶されている通信設定情報と通信設定情報テーブル１７２に記憶されている通信設定情報とを比較する。【００８０】
比較により両情報が異なる場合、緊急状態判定部１９５は、緊急状態であると判定し、緊急通知部１９６に対して緊急通知するよう指示する。かかる場合に、緊急状態判定部１９５は、携帯電話機１００を見かけ上の電源ＯＦＦにする。【００８１】
なお、見かけ上の電源ＯＦＦにせず、携帯電話機１００のすべての機能部を起動させて、ＵＳＩＭカード１８０が差し替えられた状態で携帯電話機１００を使用可能にさせてもよい。これにより、窃盗者が携帯電話機１００を安心して使用している間に緊急通知を行うことができる。【００８２】
一方、両情報が同一の場合、緊急状態判定部１９５は、認証部１９４から受け付けた電源ＯＮ操作時の認証結果が「不当」であれば、緊急状態であると判定し、緊急通知部１９６に対して緊急通知するよう指示する。かかる場合に、緊急状態判定部１９５は、携帯電話機１００を見かけ上の電源ＯＦＦにする。【００８３】
認証結果が「正当」であれば、緊急状態判定部１９５は、ＵＳＩＭカード１８０に記憶されている通信設定情報を通信設定情報テーブル１７２に退避する。そして、緊急フラグ１７１を「０（正当状態）」に更新するとともに、電池外れフラグ１７４を「１（電池外れ有）」に更新した後、携帯電話機１００を起動する。その後、通知済フラグ１７５が「１（通知有）」の場合には表示部１２０上に緊急通知結果を表示し、通知済フラグ１７５を「０（通知無）」に更新する。【００８４】
次いで、（２）緊急フラグ１７１が「０（正当状態）」かつ電池外れフラグ１７４が「１（電池外れ有）」の場合について説明する。かかる場合、緊急状態判定部１９５の処理は、（１）緊急フラグ１７１が「１（不当状態）」の場合と同様である。【００８５】
次いで、（３）緊急フラグ１７１が「０（正当状態）」かつ電池外れフラグ１７４が「０（電池外れ無）」の場合について説明する。かかる場合、緊急状態判定部１９５は、携帯電話機１００にＵＳＩＭカード１８０が取り付けられているか否かを判定する。【００８６】
ＵＳＩＭカード１８０が取り付けられていない場合、緊急状態判定部１９５は、電池外れフラグ１７４を「１（電池外れ有）」に更新し、携帯電話機１００を起動する。その後、通知済フラグ１７５が「１（通知有）」の場合には表示部１２０上に緊急通知結果を表示し、通知済フラグ１７５を「０（通知無）」に更新する。【００８７】
一方、ＵＳＩＭカード１８０が取り付けられている場合、ＵＳＩＭカード１８０に記憶されている通信設定情報を通信設定情報テーブル１７２に退避する。そして、緊急フラグ１７１を「０（正当状態）」に更新するとともに、電池外れフラグ１７４を「１（電池外れ有）」に更新した後、携帯電話機１００を起動する。その後、通知済フラグ１７５が「１（通知有）」の場合には表示部１２０上に緊急通知結果を表示し、通知済フラグ１７５を「０（通知無）」に更新する。【００８８】
なお、緊急フラグ１７１が「０（正当状態）」かつ電池外れフラグ１７４が「０（電池外れ無）」の場合、認証部１９４から受け付ける電源ＯＮ操作時の認証結果に関わらず緊急通知を行わない場合を示したが、認証結果が「不当」であれば常に緊急通知を行うように構成してもよい。【００８９】
図２の説明に戻って、緊急通知部１９６は、緊急状況を緊急連絡先に通知する機能部である。具体的には、位置特定部１９３から受信した現在位置情報や、通信設定情報テーブル１７２に記憶されている情報や、ＵＳＩＭカード１８０に記憶されている情報や、固定の緊急メッセージ等を個人情報テーブル１７３に記憶されている緊急連絡先電話番号又は緊急連絡先メールアドレスに通知する。【００９０】
次に、図２に示した携帯電話機１００による電源ＯＦＦ操作時の処理手順について説明する。図５は、図２に示した携帯電話機１００による電源ＯＦＦ操作時の処理手順を示すフローチャートである。【００９１】
まず、入力部１３０を介して電源ＯＦＦ操作を受け付けると（ステップＳ２０１肯定）、認証部１９４は、電源ＯＦＦ操作時に入力されたパスワードと個人情報テーブル１７３に記憶されているパスワードとが一致するか否かを認証し、その認証結果を緊急状態判定部１９５に出力する。【００９２】
認証部１９４から認証結果を受け付けた緊急状態判定部１９５は、認証結果が「不当」である場合（ステップＳ２０２否定）、緊急状態であると判定して緊急通知部１９６に対して緊急通知するよう指示し、緊急フラグ１７１を「１（不当状態）」に更新するとともに（ステップＳ２０３）、ＵＳＩＭカード１８０に記憶されている通信設定情報を通信設定情報テーブル１７２に退避した後（ステップＳ２０４）、携帯電話機１００を見かけ上の電源ＯＦＦにする（ステップＳ２０５）。【００９３】
緊急状態判定部１９５から指示を受け付けた緊急通知部１９６は、通信設定情報テーブル１７２に記憶されている通信設定情報に基づいて、位置特定部１９３から受け付けた現在位置情報を含む緊急状況を個人情報テーブル１７３に記憶されている緊急連絡先電話番号又は緊急連絡先メールアドレスに通知する（ステップＳ２０６）。【００９４】
ここで、ＵＳＩＭカード１８０が取り付けられている場合であっても、通信設定情報テーブル１７２に退避された通信設定情報に基づいて緊急通知を行う。これにより、ＵＳＩＭカードアクセス部の電源を切ることができ、緊急状態にある携帯電話機１００の電池消費を低減することができる。【００９５】
一方、認証結果が「正当」である場合（ステップＳ２０２肯定）、緊急状態判定部１９５は、電池外れフラグ１７４を「０（電池外れ無）」に更新するとともに（ステップＳ２０７）、通信設定情報テーブル１７２に記憶されている通信設定情報を削除した後（ステップＳ２０８）、携帯電話機１００の電源を切る（ステップＳ２０９）。【００９６】
次に、図２に示した携帯電話機１００による電源ＯＮ操作時の処理手順について説明する。説明を簡単するために、ＵＳＩＭカード１８０が取り外された状態で電源ＯＮ操作された場合（図６）と、ＵＳＩＭカード１８０が取り付けられた状態で電源ＯＮ操作された場合（図７）とに分けて説明する。なお、通常の電源ＯＦＦ状態から電源ＯＮ操作された場合の処理手順と見かけ上の電源ＯＦＦ状態から電源ＯＮ操作された場合の処理手順とは同様となる。【００９７】
最初に、ＵＳＩＭカード１８０が取り外された状態で電源ＯＮ操作された携帯電話機１００の処理手順について説明する。図６は、ＵＳＩＭカード１８０が取り外された状態で電源ＯＮ操作された携帯電話機１００の処理手順を示すフローチャートである。【００９８】
まず、入力部１３０を介して電源ＯＮ操作を受け付けると（ステップＳ３０１肯定）、認証部１９４は、電源ＯＮ操作時に入力されたパスワードと個人情報テーブル１７３に記憶されているパスワードとが一致するか否かを認証し、その認証結果を緊急状態判定部１９５に出力する。【００９９】
認証部１９４から認証結果を受け付けた緊急状態判定部１９５は、緊急フラグ１７１及び電池外れフラグ１７４を取得し、取得した緊急フラグ１７１が「１（不当状態）」の場合（ステップＳ３０２肯定）、若しくは、緊急フラグ１７１が「０（正当状態）」（ステップＳ３０２否定）かつ電池外れフラグ１７４が「１（電池外れ有）」の場合（ステップＳ３０３肯定）、認証結果が「不当」であれば（ステップＳ３０４否定）、緊急状態であると判定して緊急通知部１９６に対して緊急通知するよう指示し、携帯電話機１００を見かけ上の電源ＯＦＦにする（ステップＳ３０８）。【０１００】
緊急状態判定部１９５から指示を受け付けた緊急通知部１９６は、通信設定情報テーブル１７２に記憶されている通信設定情報に基づいて、位置特定部１９３から受け付けた現在位置情報を含む緊急状況を個人情報テーブル１７３に記憶されている緊急連絡先電話番号又は緊急連絡先メールアドレスに通知する（ステップＳ３０７）。【０１０１】
一方、認証結果が「正当」であれば（ステップＳ３０４肯定）、緊急状態判定部１９５は、ＵＳＩＭカード１８０が取り外された状態で携帯電話機１００を緊急使用するか否かを利用者に問い合わせる（ステップＳ３０５）。【０１０２】
利用者が緊急使用を望む場合（ステップＳ３０５肯定）、緊急状態判定部１９５は、通信設定情報テーブル１７２に記憶されている通信設定情報を用いて携帯電話機１００を通信可能な状態にする（ステップＳ３０６）。そして、緊急状態であると判定して緊急通知部１９６に対して緊急通知するよう指示する。【０１０３】
かかる指示を受け付けた緊急通知部１９６は、通信設定情報テーブル１７２に記憶されている通信設定情報に基づいて、位置特定部１９３から受け付けた現在位置情報を含む緊急状況を個人情報テーブル１７３に記憶されている緊急連絡先電話番号又は緊急連絡先メールアドレスに通知する（ステップＳ３０７）。【０１０４】
利用者が緊急使用を望まない場合（ステップＳ３０５否定）、緊急状態判定部１９５は、電池外れフラグ１７４を「１（電池外れ有）」に更新し（ステップＳ３０９）、携帯電話機１００を起動する（ステップＳ３１０）。【０１０５】
その後、通知済フラグ１７５が「１（通知有）」の場合には（ステップＳ３１１肯定）、表示部１２０上に緊急通知結果を表示し（ステップＳ３１２）、通知済フラグ１７５を「０（通知無）」に更新する（ステップＳ３１３）。【０１０６】
緊急フラグ１７１が「０（正当状態）」（ステップＳ３０２否定）かつ電池外れフラグ１７４が「０（電池外れ無）」の場合（ステップＳ３０３否定）、緊急状態判定部１９５は、電池外れフラグ１７４を「１（電池外れ有）」に更新し（ステップＳ３０９）、携帯電話機１００を起動する（ステップＳ３１０）。【０１０７】
その後、通知済フラグ１７５が「１（通知有）」の場合には（ステップＳ３１１肯定）、表示部１２０上に緊急通知結果を表示し（ステップＳ３１２）、通知済フラグ１７５を「０（通知無）」に更新する（ステップＳ３１３）。【０１０８】
次に、ＵＳＩＭカード１８０が取り付けられている状態で電源ＯＮ操作された携帯電話機１００の処理手順について説明する。図７は、ＵＳＩＭカード１８０が取り付けられている状態で電源ＯＮ操作された携帯電話機１００の処理手順を示すフローチャートである。【０１０９】
まず、入力部１３０を介して電源ＯＮ操作を受け付けると（ステップＳ４０１肯定）、認証部１９４は、電源ＯＮ操作時に入力されたパスワードと個人情報テーブル１７３に記憶されているパスワードとが一致するか否かを認証し、その認証結果を緊急状態判定部１９５に出力する。【０１１０】
認証部１９４から認証結果を受け付けた緊急状態判定部１９５は、緊急フラグ１７１及び電池外れフラグ１７４を取得し、取得した緊急フラグ１７１が「１（不当状態）」の場合（ステップＳ４０２肯定）、若しくは、緊急フラグ１７１が「０（正当状態）」（ステップＳ４０２否定）かつ電池外れフラグ１７４が「１（電池外れ有）」の場合（ステップＳ４０３肯定）、ＵＳＩＭカード１８０に記憶されている通信設定情報と通信設定情報テーブル１７２に記憶されている通信設定情報とを比較する（ステップＳ４０４）。【０１１１】
両情報が異なる場合（ステップＳ４０５肯定）、緊急状態判定部１９５は、緊急状態であると判定して緊急通知部１９６に対して緊急通知するよう指示し、携帯電話機１００を見かけ上の電源ＯＦＦにする（ステップＳ４０６）。【０１１２】
かかる指示を受け付けた緊急通知部１９６は、通信設定情報テーブル１７２に記憶されている通信設定情報に基づいて、位置特定部１９３から受け付けた現在位置情報及び取り付けられているＵＳＩＭカード１８０に記憶されている情報を含む緊急状況を個人情報テーブル１７３に記憶されている緊急連絡先電話番号又は緊急連絡先メールアドレスに通知する（ステップＳ４０７）。【０１１３】
一方、両情報が同一の場合（ステップＳ４０５否定）、認証部１９４から受け付けた電源ＯＮ操作時の認証結果が「不当」であれば（ステップＳ４０８否定）、緊急状態判定部１９５は、緊急状態であると判定して緊急通知部１９６に緊急通知するよう指示し、携帯電話機１００を見かけ上の電源ＯＦＦにする（ステップＳ４０６）。【０１１４】
かかる指示を受け付けた緊急通知部１９６は、通信設定情報テーブル１７２に記憶されている通信設定情報に基づいて、位置特定部１９３から受け付けた現在位置情報を含む緊急状況を個人情報テーブル１７３に記憶されている緊急連絡先電話番号又は緊急連絡先メールアドレスに通知する（ステップＳ４０７）。【０１１５】
認証結果が「正当」であれば（ステップＳ４０８肯定）、緊急状態判定部１９５は、ＵＳＩＭカード１８０に記憶されている通信設定情報を通信設定情報テーブル１７２に退避する（ステップＳ４０９）。【０１１６】
そして、緊急フラグ１７１を「０（正当状態）」に更新するとともに（ステップＳ４１０）、電池外れフラグ１７４を「１（電池外れ有）」に更新した後（ステップＳ４１１）、携帯電話機１００を起動する（ステップＳ４１２）。【０１１７】
その後、通知済フラグ１７５が「１（通知有）」の場合には（ステップＳ４１３肯定）、表示部１２０上に緊急通知結果を表示し（ステップＳ４１４）、通知済フラグ１７５を「０（通知無）」に更新する（ステップＳ４１５）。【０１１８】
緊急フラグ１７１が「０（正当状態）」であり（ステップＳ４０２否定）かつ電池外れフラグ１７４が「０（電池外れ無）」である場合（ステップＳ４０３否定）、緊急状態判定部１９５は、ＵＳＩＭカード１８０に記憶されている通信設定情報を通信設定情報テーブル１７２に退避する（ステップＳ４０９）。【０１１９】
そして、緊急フラグ１７１を「０（正当状態）」に更新するとともに（ステップＳ４１０）、電池外れフラグ１７４を「１（電池外れ有）」に更新した後（ステップＳ４１１）、携帯電話機１００を起動する（ステップＳ４１２）。【０１２０】
その後、通知済フラグ１７５が「１（通知有）」の場合には（ステップＳ４１３肯定）、表示部１２０上に緊急通知結果を表示し（ステップＳ４１４）、通知済フラグ１７５を「０（通知無）」に更新する（ステップＳ４１５）。【０１２１】
上述してきたように、上記実施例では、電源ＯＦＦ操作時又は電源ＯＮ操作時に認証情報の入力を受け付け、認証部１９４が受け付けた認証情報と個人情報テーブル１７３に記憶されている本人特定情報とが一致しないと判定した場合、緊急状態判定部１９５が緊急状態であると判定して緊急通知部１９６に対して緊急通知するよう指示し、かかる指示を受け付けた緊急通知部１９６が通信設定情報テーブル１７２に記憶されている通信設定情報に基づいて個人情報テーブル１７３に記憶されている緊急連絡先電話番号等に緊急通知を行うように構成したので、ＵＳＩＭカード１８０を取り外されたり差し替えられたりした場合であっても緊急状況を確実に通知することができる。【０１２２】
なお、上記実施例では、個人認証を行い、携帯電話機１００を操作する操作者がその携帯電話機１００の正当な所有者でないと判断した場合に緊急通知を行う場合を示したが、本発明はこれに限定されるものではなく、個人認証を行うことなく緊急通知を行うように構成してもよい。具体的には、ＵＳＩＭカード１８０に記憶されている電話番号を記憶部１７０に記憶させておき、記憶部１７０に記憶されている電話番号以外の電話番号が記憶されているＵＳＩＭカードが取り付けられた場合又はＵＳＩＭカードが取り付けられていない場合に、緊急状態であると判断して緊急通知を行う。なお、記憶部１７０に記憶させる情報は電話番号に限らず、ＵＳＩＭカード１８０の識別番号（製造番号等）を記憶させるようにしてもよい。【０１２３】
また、上記実施例では、携帯電話機１００に取り付けられるＩＣカードとしてＵＳＩＭカード１８０を示したが、本発明はこれに限定されるものではなく、加入者の識別番号を特定するための固有のＩＤ番号が記憶されたいかなるＩＣカードであってもよい。【０１２４】
また、上記実施例では、緊急状態であると判定した場合は常に緊急通知を行う場合を示したが、本発明はこれに限定されるものではなく、「通常モード」又は「緊急モード」というモードを設け、利用者により「緊急モード」が選択されている場合のみ、上述してきたようなＵＳＩＭカード１８０に記憶されている情報を通信設定情報テーブル１７２に退避する機能や、電源ＯＮ／ＯＦＦ操作時に認証情報を入力させる機能や、緊急通知を行う機能等を実行するように構成してもよい。これにより、電源ＯＦＦ／ＯＮ操作を行う度にパスワードを入力する必要がなくなる。
【産業上の利用可能性】
【０１２５】
以上のように、本発明にかかる携帯端末装置は、所定の操作がなされた場合に緊急状況と判断して現在位置情報等を緊急連絡先に通知する携帯端末装置に有用であり、特に、ＵＳＩＭカードが取り外されたり差し替えられたりした場合であっても、緊急状況を確実に通知することが必要な場合に適している。
【図１】
2009008087.tif 000003
【図２】
2009008087.tif 000004
【図３】
2009008087.tif 000005
【図４】
2009008087.tif 000006
【図５】
2009008087.tif 000007
【図６】
2009008087.tif 000008
【図７】
2009008087.tif 000009
【手続補正書】
【提出日】平成21年10月13日(2009.10.13)
【手続補正１】
【補正対象書類名】特許請求の範囲
【補正対象項目名】全文
【補正方法】変更
【補正の内容】
【特許請求の範囲】
【請求項１】
少なくとも加入者の識別番号と通信を行うために必要な情報とを含む通信設定情報を記憶する取外し可能な記憶媒体を内蔵し、該記憶媒体に記憶されている情報に基づいて通信を行う携帯端末装置であって、
前記記憶媒体に記憶されている前記通信設定情報を記憶する通信設定情報記憶手段と、
当該の携帯端末装置を操作する操作者が、前記加入者であるか否かを認証する認証手段と、
前記認証手段により前記操作者が前記加入者でないと認証された場合に、緊急状態であると判定する緊急状態判定手段と、
前記緊急状態判定手段により緊急状態であると判定された場合に、前記通信設定情報記憶手段に記憶されている前記通信設定情報に基づいて所定の緊急連絡先に緊急通知を行う緊急通知手段と
を備えたことを特徴とする携帯端末装置。
【請求項２】
前記認証手段は、電源を切るための操作が行われた場合に認証を行うことを特徴とする請求項１に記載の携帯端末装置。
【請求項３】
前記認証手段は、電源を切るための操作が行われた場合に認証を行い、
前記緊急状態判定手段は、前記認証手段により前記操作者が前記加入者でないと認証された場合に、前記記憶媒体に記憶されている前記通信設定情報を前記通信設定情報記憶手段に退避することを特徴とする請求項１に記載の携帯端末装置。
【請求項４】
前記認証手段は、電源を入れるための操作が行われた場合に認証を行うことを特徴とする請求項１に記載の携帯端末装置。
【請求項５】
当該の携帯端末装置が起動中に電池を外されたか否かの電池外れ有無を示す電池外れフラグを記憶する電池外れフラグ記憶手段をさらに備え、
前記緊急状態判定手段は、前記電池外れフラグが電池外れ有を示す場合に緊急状態であると判定することを特徴とする請求項１に記載の携帯端末装置。
【請求項６】
前記緊急状態判定手段は、前記記憶媒体に記憶されている通信設定情報と前記通信設定情報記憶手段に記憶されている通信設定情報とを比較して、前記記憶媒体に記憶されている通信設定情報と前記通信設定情報記憶手段に記憶されている通信設定情報とが異なる場合に緊急状態であると判定することを特徴とする請求項１に記載の携帯端末装置。
【手続補正２】
【補正対象書類名】明細書
【補正対象項目名】全文
【補正方法】変更
【補正の内容】
【発明の詳細な説明】
【技術分野】
【０００１】
本発明は、所定の操作がなされた場合に緊急状況と判断して現在位置情報等を緊急連絡先に通知する携帯端末装置に関し、特に、ＵＳＩＭ（Universal  Subscriber  Identity  Module）カードが取り外されたり差し替えられたりした場合であっても、緊急状況を確実に通知することができる携帯端末装置に関するものである。
【背景技術】
【０００２】
従来、携帯電話機の盗難が発生した場合や携帯電話機を所持している人が誘拐された等の犯罪が発生した場合に、それらの携帯電話機から現在位置情報等を取得する技術が犯罪捜査に利用されている。
【０００３】
例えば、特許文献１では、第三者により携帯電話機の電源を切られると、緊急連絡先に緊急状況を通知する技術が開示されている。具体的には、暗証番号入力や生体認証がなされずに携帯電話機の電源が切られた場合に、利用者から見て携帯電話機が動作していることを認識できる機能（表示機能、着信音出力機能、キー操作音等）を停止するとともに、携帯電話機が動作していることを認識できないＧＰＳ（Global  Positioning  System）機能、通信機能等を起動して、起動している機能を用いて携帯電話機の現在位置情報等を通知する。
【０００４】
また、特許文献２では、携帯電話機のＧＰＳ機能及び通信機能を制御する回路と、その他の機能（表示機能、Ｗｅｂ機能等）を制御する回路とを別に設けて、携帯電話機の電源を切られてもＧＰＳ機能及び通信機能を起動させておき、他端末から遠隔操作を行うことで携帯電話機の現在位置情報等を取得する技術が開示されている。
【０００５】
【特許文献１】特開２００６−３０４１７５号公報
【特許文献２】特開２００２−７８００１号公報
【発明の開示】
【発明が解決しようとする課題】
【０００６】
しかしながら、上記従来技術は、ＵＳＩＭカード取り付け式の第三世代携帯電話においてＵＳＩＭカードを取り外されたり他のＵＳＩＭカードに差し替えられたりすると利用することができないという問題がある。
【０００７】
具体的には、上記従来技術は携帯電話機が通信可能状態であることを前提とした技術であるが、第三世代携帯電話ではＵＳＩＭカードを取り外されると通信を行えなくなるため、それらの携帯電話機から現在位置情報等を取得することができなくなる。
【０００８】
また、第三世代携帯電話は、取り付けられているＵＳＩＭカードに依存して動作するため、ＵＳＩＭカードを差し替えられると電話番号等が変更され、緊急状況を通知することができなくなる。
【０００９】
最近では、ＵＳＩＭカード取り付け式の第三世代携帯電話が急速に普及しており、ＵＳＩＭカードを取り外すことで携帯電話機が通信できなくなることが一般的に知られている。このような状況下で、携帯電話機のＵＳＩＭカードが取り外されたり差し替えられたりした場合であっても、携帯電話機が緊急状況を通知できる技術をいかにして実現するかが重要な課題となっている。
【００１０】
本発明は、上記課題を解消するためになされたものであって、ＵＳＩＭカードが取り外されたり差し替えられたりした場合であっても、緊急状況を確実に通知することができる携帯端末装置を提供することを目的とする。
【課題を解決するための手段】
【００１１】
上述した課題を解決し、目的を達成するために、本発明の一つの態様では、少なくとも加入者の識別番号と通信を行うために必要な情報とを含む通信設定情報を記憶する取外し可能な記憶媒体を内蔵し、該記憶媒体に記憶されている情報に基づいて通信を行う携帯端末装置であって、前記記憶媒体に記憶されている前記通信設定情報を記憶する通信設定情報記憶手段と、当該の携帯端末装置を操作する操作者が、前記加入者であるか否かを認証する認証手段と、前記認証手段により前記操作者が前記加入者でないと認証された場合に、緊急状態であると判定する緊急状態判定手段と、前記緊急状態判定手段により緊急状態であると判定された場合に、前記通信設定情報記憶手段に記憶されている前記通信設定情報に基づいて所定の緊急連絡先に緊急通知を行う緊急通知手段とを備えたことを特徴とする。
【００１２】
また、本発明の他の態様では、前記認証手段は、電源を切るための操作が行われた場合に認証を行うことを特徴とする。
【００１３】
また、本発明の他の態様では、前記認証手段は、電源を切るための操作が行われた場合に認証を行い、前記緊急状態判定手段は、前記認証手段により前記操作者が前記加入者でないと認証された場合に、前記記憶媒体に記憶されている前記通信設定情報を前記通信設定情報記憶手段に退避することを特徴とする。
【００１４】
また、本発明の他の態様では、前記緊急状態判定手段は、前記認証手段により前記操作者が前記加入者であると認証された場合に、前記通信設定情報記憶手段に記憶されている情報を削除することを特徴とする。
【００１５】
また、本発明の他の態様では、前記緊急状態判定手段は、前記認証手段により前記操作者が前記加入者でないと認証された場合に、外部から動作していることが認識できる機能を停止し、前記緊急通知手段は、前記緊急状態判定手段により停止させられていない機能を用いて緊急通知を行うことを特徴とする。
【００１６】
また、本発明の他の態様では、前記認証手段は、電源を入れるための操作が行われた場合に認証を行うことを特徴とする。
【００１７】
また、本発明の他の態様では、前記認証手段により前記操作者が前記加入者であると認証されたことを示す正当状態と、前記認証手段により前記操作者が前記加入者でないと認証されたことを示す不当状態との別を示す緊急フラグを記憶する緊急フラグ記憶手段をさらに備え、前記緊急状態判定手段は、前記認証手段により前記操作者が前記加入者でないと認証された場合に前記緊急フラグを不当状態に更新し、電源を入れるための操作が行われた際に該緊急フラグが不当状態を示す場合に緊急状態であると判定することを特徴とする。
【００１８】
また、本発明の他の態様では、当該の携帯端末装置が起動中に電池を外されたか否かの電池外れ有無を示す電池外れフラグを記憶する電池外れフラグ記憶手段をさらに備え、前記緊急状態判定手段は、前記電池外れフラグが電池外れ有を示す場合に緊急状態であると判定することを特徴とする。
【００１９】
また、本発明の他の態様では、前記緊急状態判定手段は、前記記憶媒体に記憶されている通信設定情報と前記通信設定情報記憶手段に記憶されている通信設定情報とを比較して、前記記憶媒体に記憶されている通信設定情報と前記通信設定情報記憶手段に記憶されている通信設定情報とが異なる場合に緊急状態であると判定することを特徴とする。
【００２０】
また、本発明の他の態様では、前記認証手段は、電源を入れるための操作が行われた場合に認証を行い、前記緊急状態判定手段は、前記認証手段により前記操作者が前記加入者であると認証された場合に、前記記憶媒体に記憶されている前記通信設定情報を前記通信設定情報記憶手段に退避することを特徴とする。
【発明の効果】
【００２１】
本発明の一つの態様によれば、第三者により携帯端末装置を操作された場合に緊急状況を自動的に通知することができるという効果を奏する。
【００２２】
また、本発明の一つの態様によれば、第三者により携帯端末装置が電源ＯＦＦ操作された場合に緊急状況を自動的に通知することができるという効果を奏する。
【００２３】
また、本発明の一つの態様によれば、携帯端末装置から記憶媒体が取り外されたり差し替えられたりした場合であっても、所定の記憶部に退避されている通信設定情報を用いて緊急状況を確実に通知することができるという効果を奏する。
【００２４】
また、本発明の一つの態様によれば、所有者により携帯端末装置が電源ＯＦＦ操作された場合に、所定の記憶部に退避された個人情報を削除することができるという効果を奏する。例えば、加入者が携帯端末装置を交換する場合や破棄する場合等に携帯端末装置から個人情報を含む通信設定情報を削除する必要がなくなる。
【００２５】
また、本発明の一つの態様によれば、あたかも携帯端末装置が正常終了したかのように見せかけて、第三者に気づかれることなく緊急状況を通知することができるという効果を奏する。
【００２６】
また、本発明の一つの態様によれば、第三者により携帯端末装置が電源ＯＮ操作された場合に緊急状況を自動的に通知することができるという効果を奏する。
【００２７】
また、本発明の一つの態様によれば、第三者により携帯端末装置の電源を切られた後、その携帯端末装置の電源を入れられた場合に緊急状況を自動的に通知することができるという効果を奏する。
【００２８】
また、本発明の一つの態様によれば、携帯端末装置が電源ＯＦＦ操作されずに電池を抜かれた後、その携帯端末装置の電源を入れられた場合に緊急状況を自動的に通知することができるという効果を奏する。
【００２９】
また、本発明の一つの態様によれば、携帯端末装置から記憶媒体が取り外されたり差し替えられたりした場合に、緊急状況を自動的に通知することができるという効果を奏する。
【００３０】
また、本発明の一つの態様によれば、携帯端末装置から記憶媒体が取り外されたり差し替えられたりした場合であっても、所定の記憶部に退避されている通信設定情報を用いて緊急状況を確実に通知することができるという効果を奏する。
【発明を実施するための最良の形態】
【００３１】
以下に添付図面を参照して、本発明にかかる携帯端末装置の好適な実施例を詳細に説明する。なお、この実施例によりこの発明が限定されるものではない。
【実施例】
【００３２】
まず、本実施例に係る携帯電話機の概要について説明する。図１は、本実施例に係る携帯電話機の概要を説明するための説明図である。同図に示すように、携帯電話機１００は、ＵＳＩＭカード１８０を取り付けることができる携帯電話機であり、通信部１１０と、表示部１２０と、記憶部１７０とを有し、ＵＳＩＭカード１８０が取り付けられている。
【００３３】
通信部１１０は、図示しない基地局を介した音声通信及びデータ通信の通信制御を行う機能部である。表示部１２０は、液晶パネル等からなる表示デバイスである。記憶部１７０は、フラッシュメモリ等の不揮発性メモリからなる記憶デバイスであり、携帯電話機１００に入力されるパスワード等を照合するための本人特定情報や緊急状況の通知先となる緊急連絡先情報等を記憶する。
【００３４】
ＵＳＩＭカード１８０は、携帯電話機１００に取り外しすることができるＩＣ（Integrated  Circuit）カードであり、携帯電話機１００の電話番号や通信を行うために必要となる情報等（以下、「通信設定情報」と言う）を記憶する。通信部１１０は、ＵＳＩＭカード１８０に記憶されている通信設定情報に基づいて音声通信及びデータ通信の通信制御を行う。
【００３５】
ここで、図１に示すように、窃盗者Ｂにより携帯電話機１００を盗まれた場合（ステップＳ１）、携帯電話機１００の電源を切られることが考えられる。近年の携帯電話機に緊急状況を自動通知する機能が備えられていることが一般的に知られているからである。また、ＵＳＩＭカード１８０を取り外すことで通信できなくなるので、ＵＳＩＭカード１８０を取り外されることも考えられる。
【００３６】
そこで、本発明に係る携帯電話機１００では、電源ＯＦＦ操作時にパスワード入力を受け付け、正当なパスワードを入力されずに電源ＯＦＦ操作をされると（ステップＳ２）、ＵＳＩＭカード１８０に記憶されている通信設定情報を記憶部１７０に退避させる（ステップＳ３）。これにより、通信部１１０は、ＵＳＩＭカード１８０を取り外されても記憶部１７０に退避された通信設定情報を用いて通信制御を行うことができる。
【００３７】
そして、外観から携帯電話機１００が起動していると認識できる機能を停止するとともに、緊急通知するために必要となる機能を起動させたままとする（ステップＳ４）。図１の例では、表示部１２０を停止し、通信部１１０及び記憶部１７０を起動させたままとする。以下では、外観から携帯電話機１００が起動していると認識できる機能を停止することを「見かけ上の電源ＯＦＦにする」と表記し、携帯電話機１００の全機能を停止することを「通常の電源ＯＦＦにする」と表記する。
【００３８】
その後、携帯電話機１００は、記憶部１７０に退避された通信設定情報を用いて緊急連絡先に緊急通知する（ステップＳ５）。なお、見かけ上の電源ＯＦＦにする理由は、あたかも携帯電話機１００が正常終了したかのように見せかけて、窃盗者Ｂに気づかれることなく緊急通知するためである。
【００３９】
このように、本発明に係る携帯電話機１００は、窃盗者Ｂにより電源ＯＦＦ操作がされた場合に、ＵＳＩＭカード１８０に記憶されている通信設定情報を記憶部１７０に退避するとともに見かけ上の電源ＯＦＦにするので、携帯電話機１００の電源を切られたり、ＵＳＩＭカード１８０を取り外されたりしても通信可能状態を維持して緊急通知を行うことができる。
【００４０】
次に、本実施例に係る携帯電話機の構成について説明する。図２は、本実施例に係る携帯電話機の構成を示す機能ブロック図である。同図に示すように、携帯電話機１００は、通信部１１０と、表示部１２０と、入力部１３０と、スピーカ１４０と、マイクロフォン１５０と、ＧＰＳ部１６０と、記憶部１７０と、制御部１９０とを有する。また、携帯電話機１００には、ＵＳＩＭカード１８０が取り付けられている。
【００４１】
通信部１１０は、ＵＳＩＭカード１８０に記憶されている通信設定情報に基づいて図示しない基地局を介した音声通信及びデータ通信の通信制御を行う機能部である。表示部１２０は、液晶パネル等からなる表示デバイスである。
【００４２】
入力部１３０は、数字及び文字等を入力するテンキー、携帯電話機１００を停止する電源ＯＦＦキー、携帯電話機１００を起動する電源ＯＮキー等からなる入力デバイスである。
【００４３】
携帯電話機１００は、電源ＯＦＦ操作時及び電源ＯＮ操作時に正当な所有者による操作であることを確認するためのパスワード入力を受け付け、このパスワード入力は入力部１３０を用いて行われる。そして、入力部１３０は、入力されたパスワードを後述する認証部１９４に出力する。
【００４４】
ここで、パスワードの入力方法について、電源ＯＦＦ操作時と電源ＯＮ操作時とに分けて説明する。電源ＯＦＦ操作時のパスワード入力は、携帯電話機１００が起動している状態で入力部１３０を用いて行う。そして、ダイヤル時のように表示部１２０上に入力したパスワードが表示されている状態で入力部１３０の電源ＯＦＦキーを押下して携帯電話機１００の電源を切る。すなわち、表示部１２０上にパスワード入力を促す画面を表示することはない。これにより、電源ＯＦＦ操作時にパスワード入力が必要になることを窃盗者に察知されないようにすることができる。
【００４５】
電源ＯＮ操作時のパスワード入力方法は、通常の電源ＯＦＦ状態から電源ＯＮ操作する場合と、見かけ上の電源ＯＦＦ状態から電源ＯＮ操作する場合とで異なる。通常の電源ＯＦＦ状態から電源ＯＮ操作する場合のパスワード入力は、入力部１３０の電源ＯＮキーを押下して携帯電話機１００が起動した後、自動的に表示されるパスワード入力画面に対して行う。なお、パスワード入力画面を介さずに、携帯電話機１００が起動して表示部１２０に初期画面が表示された後、一定時間内（例えば、３０秒以内）に入力された情報をパスワードとして受け付けるように構成してもよい。これにより、電源ＯＮ操作時にパスワード入力が必要になることを窃盗者に察知されないようにすることができる。
【００４６】
また、見かけ上の電源ＯＦＦ状態から電源ＯＮ操作する場合のパスワード入力は、見かけ上の電源ＯＦＦ状態で入力部１３０を用いて行う。このとき、表示部１２０は停止しているので表示部１２０にパスワードは表示されない。そして、入力部１３０の電源ＯＮキーを押下して携帯電話機１００を起動する。これにより、電源ＯＮ操作時にパスワード入力が必要になることを窃盗者に察知されないようにすることができる。なお、携帯電話機１００が起動した後、一定時間内に入力された情報をパスワードとして受け付けるように構成してもよい。
【００４７】
なお、携帯電話機１００が指紋認証機能や静脈認証機能等を備える場合は、上記のパスワード入力と同様のタイミングで人差し指等のかざし操作を行うことで認証情報の入力を受け付ける。
【００４８】
スピーカ１４０は、音声を出力する装置であり、例えば、着信があった場合やメールを受信した場合に着信音を出力したり、後述する通話処理部１９１から入力された通話相手の音声を出力したりする。
【００４９】
マイクロフォン１５０は、周囲の音声を収集して通話処理部１９１に出力する装置であり、例えば、通話時に利用者の音声を収集する。ＧＰＳ部１６０は、図示しないＧＰＳ人口衛星と通信して緯度及び経度情報を取得して、取得した緯度及び経度情報を後述する位置特定部１９３に出力する装置である。
【００５０】
記憶部１７０は、フラッシュメモリ等の不揮発性メモリからなる記憶デバイスであり、緊急フラグ１７１と、通信設定情報テーブル１７２と、個人情報テーブル１７３と、電池外れフラグ１７４と、通知済フラグ１７５とを記憶する。
【００５１】
緊急フラグ１７１は、携帯電話機１００が正当なパスワードを入力されて電源を入れられた状態（以下、「正当状態」と言う）と、不当なパスワードを入力されて電源を切られた状態（以下、「不当状態」と言う）との２種類の状態を示すデータである。以下では、「正当状態」である場合は緊急フラグ１７１を「０」とし、「不当状態」である場合は緊急フラグ１７１を「１」とする。
【００５２】
通信設定情報テーブル１７２は、ＵＳＩＭカード１８０に記憶されている通信設定情報を退避するためのテーブルである。図３は、図２に示した通信設定情報テーブル１７２に退避するＵＳＩＭカード１８０に記憶されている情報の一例を示す図である。同図に示すような情報を通信設定情報テーブル１７２に退避することで、携帯電話機１００はＵＳＩＭカード１８０を取り外されても通信可能な状態を維持することができる。
【００５３】
個人情報テーブル１７３は、携帯電話機１００に入力されるパスワード等を照合するための本人特定情報及び緊急通知先の連絡先等を記憶するテーブルである。図４は、図２に示した個人情報テーブル１７３の一例を示す図である。同図に示すように、個人情報テーブル１７３は、パスワード、指紋認証情報、静脈認証情報、緊急連絡先電話番号及び緊急連絡先メールアドレスを記憶する。
【００５４】
パスワードは、英数字等からなるパスワード情報が記憶される。指紋認証情報は、携帯電話機１００が指紋認証機能を有する場合に記憶される情報であり、所有者の指紋の特徴量情報が記憶される。静脈認証情報は、携帯電話機１００が静脈認証機能を有する場合に記憶される情報であり、所有者の静脈の特徴量情報が記憶される。
【００５５】
緊急連絡先電話番号は、緊急状況の通知先電話番号が記憶される。緊急連絡先メールアドレスは、緊急状況の通知先メールアドレスが記憶される。緊急連絡先電話番号及び緊急連絡先メールアドレスは、例えば、家族の連絡先、特定のサーバのアドレス、警察等の連絡先等である。
【００５６】
電池外れフラグ１７４は、携帯電話機１００が起動している状態で電池パックを抜かれたか否かを示すデータである。以下では、電源ＯＦＦキーを押下されて電源を切られた場合は電池外れフラグ１７４を「０」とし、それ以外の場合（携帯電話機１００が起動している状態で電池パックを抜かれた場合等）は電池外れフラグ１７４を「１」とする。電池外れフラグ１７４の状態が更新されるタイミングについては後に詳述する。
【００５７】
通知済フラグ１７５は、後述する緊急通知部１９６により緊急通知が行われたか否かを示すデータである。この通知済フラグ１７５は、後述する緊急状態判定部１９５が表示部１２０上に、例えば「○月○日○時○分、緊急状況を△△△＠△△△に通知しました」という緊急通知結果を表示する際に用いられる。以下では、緊急通知されていない場合は通知済フラグ１７５を「０」とし、緊急通知された場合は通知済フラグ１７５を「１」とする。
【００５８】
ＵＳＩＭカード１８０は、携帯電話機１００に取り外しすることができるＩＣカードであり、通信設定情報を記憶する。上述したように、通信部１１０は、ＵＳＩＭカード１８０に記憶されている通信設定情報に基づいて音声通信及びデータ通信の通信制御を行うが、緊急通知を行う際は通信設定情報テーブル１７２に記憶されている通信設定情報に基づいて通信制御を行う。
【００５９】
制御部１９０は、携帯電話機１００を全体制御する制御部であり、例えば、他の電話機と通話する際の通話制御、電子メールの送受信を行う電子メール制御、インターネットを介してＷｅｂページを閲覧するＷｅｂ制御等を行う。
【００６０】
この制御部１９０は、通話処理部１９１と、メール処理部１９２と、位置特定部１９３と、認証部１９４と、緊急状態判定部１９５と、緊急通知部１９６とを有する。通話処理部１９１は、基地局及び電話交換網を介した呼接続等の通話接続処理等を行う処理部である。メール処理部１９２は、電子メールの作成処理、送信処理、受信処理及び表示処理等の電子メールに係る各種処理を行う処理部である。
【００６１】
位置特定部１９３は、通信圏内の基地局のエリア情報や、ＧＰＳ部１６０より受け付けた緯度及び経度情報を用いて携帯電話機１００の現在位置を特定して、特定した現在位置情報を緊急通知部１９６に出力する機能部である。
【００６２】
認証部１９４は、入力部１３０を介して入力されたパスワードと個人情報テーブル１７３に記憶されているパスワードとが一致するか否かを認証し、一致する場合は「正当」とし、一致しない場合又はパスワードが入力されなかった場合は「不当」とする認証結果を緊急状態判定部１９５に出力する機能部である。
【００６３】
なお、携帯電話機１００が指紋認証機能又は静脈認証機能を有する場合には、認証部１９４は、例えば、図示しないかざし部に人差し指等のかざし操作がされると指紋又は静脈の特徴量情報を取得し、取得した特徴量情報と個人情報テーブル１７３に記憶されている指紋認証情報又は静脈認証情報とが一致するか否かを判定する。
【００６４】
緊急状態判定部１９５は、携帯電話機１００が電源ＯＦＦ操作又は電源ＯＮ操作された場合に、緊急状態であるか否かを判定して、緊急状態であると判定した場合に緊急通知部１９６に対して緊急通知するよう指示する機能部である。緊急状態であるか否かの判定は、認証部１９４から受け付ける認証結果、緊急フラグ１７１の値及び電池外れフラグ１７４の値に基づいて行う。以下に、電源ＯＦＦ操作時と電源ＯＮ操作時とに分けて、緊急状態判定部１９５の処理について説明する。
【００６５】
まず、電源ＯＦＦ操作時の緊急状態判定部１９５の処理について説明する。電源ＯＦＦ操作時では、緊急フラグ１７１及び電池外れフラグ１７４がいかなる値であっても、認証部１９４から受け付けた電源ＯＦＦ操作時の認証結果が「不当」である場合（すなわち、携帯電話機１００の所有者以外の者により電源ＯＦＦ操作された場合）、緊急状態判定部１９５は、緊急状態であると判定し、緊急通知部１９６に対して緊急通知するよう指示する。
【００６６】
かかる場合に、緊急状態判定部１９５は、緊急フラグ１７１を「１（不当状態）」に更新するとともに、ＵＳＩＭカード１８０に記憶されている通信設定情報を通信設定情報テーブル１７２に退避する。その後、携帯電話機１００を見かけ上の電源ＯＦＦにする。例えば、表示部１２０、スピーカ１４０及びマイクロフォン１５０を停止し、それ以外の通信部１１０等を起動させたままとする。
【００６７】
緊急フラグ１７１を「１（不当状態）」に更新する理由は、不当なパスワードを入力されて電源を切られたという状態を維持することで、電源ＯＮ操作時にも緊急通知することができるようにするためである。なお、電源ＯＮ操作時の緊急通知処理については後述する。
【００６８】
一方、認証部１９４から受け付けた認証結果が「正当」である場合（すなわち、携帯電話機１００の所有者により電源ＯＦＦ操作された場合）、緊急状態判定部１９５は、緊急状態でないと判定し、緊急通知部１９６に対して指示しない。
【００６９】
かかる場合に、緊急状態判定部１９５は、電池外れフラグ１７４を「０（電池外れ無）」に更新するとともに、通信設定情報テーブル１７２に記憶されている通信設定情報を削除した後、携帯電話機１００の電源を切る。なお、通信設定情報テーブル１７２に記憶されている情報を削除しないように構成してもよい。
【００７０】
次に、電源ＯＮ操作時の緊急状態判定部１９５の処理について説明する。電源ＯＮ操作時の緊急状態判定部１９５の処理は、（１）緊急フラグ１７１が「１（不当状態）」の場合と、（２）緊急フラグ１７１が「０（正当状態）」かつ電池外れフラグ１７４が「１（電池外れ有）」の場合と、（３）緊急フラグ１７１が「０（正当状態）」かつ電池外れフラグ１７４が「０（電池外れ無）」の場合とに分けられる。以下に、（１）〜（３）に場合分けして、緊急状態判定部１９５の処理について説明する。
【００７１】
最初に、（１）緊急フラグ１７１が「１（不当状態）」の場合について説明する。電池外れフラグ１７４がいかなる値であっても、緊急フラグ１７１が「１（不当状態）」の場合（すなわち、携帯電話機１００の所有者以外の者により電源ＯＦＦ操作された後に電源ＯＮ操作された場合）、緊急状態判定部１９５は、携帯電話機１００にＵＳＩＭカード１８０が取り付けられているか否かを判定する。
【００７２】
ＵＳＩＭカード１８０が取り付けられていない場合、認証部１９４から受け付けた電源ＯＮ操作時の認証結果が「不当」ならば、緊急状態判定部１９５は、緊急状態であると判定して緊急通知部１９６に対して緊急通知するよう指示する。かかる場合に、緊急状態判定部１９５は、携帯電話機１００を見かけ上の電源ＯＦＦにする。
【００７３】
一方、認証結果が「正当」ならば、緊急状態判定部１９５は、ＵＳＩＭカード１８０が取り外された状態で携帯電話機１００を緊急使用するか否かを利用者に問い合わせる。この問い合わせを行う理由は、ＵＳＩＭカード１８０だけが盗まれた場合に、所有者が携帯電話機１００を使用したい場合があるからである。
【００７４】
利用者が緊急使用を望む場合、緊急状態判定部１９５は、通信設定情報テーブル１７２に記憶されている通信設定情報を用いて携帯電話機１００を通信可能な状態にする。これにより、利用者はＵＳＩＭカード１８０が取り外された状態であっても携帯電話機１００を使用することができる。この場合においても、緊急状態判定部１９５は、緊急状態であると判定して緊急通知部１９６に対して緊急通知するよう指示する。
【００７５】
利用者が緊急使用を望まない場合、緊急状態判定部１９５は、電池外れフラグ１７４を「１（電池外れ有）」に更新し、携帯電話機１００を起動する。その後、通知済フラグ１７５が「１（通知有）」の場合には表示部１２０上に、例えば「○月○日○時○分、緊急状況を△△△＠△△△に通知しました」という緊急通知結果を表示し、通知済フラグ１７５を「０（通知無）」に更新する。これにより、利用者は緊急通知されたことを随時確認することができる。
【００７６】
ここで、電池外れフラグ１７４を「１（電池外れ有）」に更新する理由について説明する。本来、携帯電話機１００が起動している状態で電池パックを抜かれた場合に、電池外れフラグ１７４を「１（電池外れ有）」に更新するべきだが、瞬間的に電源が切れるためかかる処理を行うことができない。したがって、携帯電話機１００が起動している間は常に電池外れフラグ１７４を「１（電池外れ有）」とし、正当なパスワードを入力されて電源ＯＦＦ操作された場合のみ「０（電池外れ無）」に更新する。
【００７７】
ＵＳＩＭカード１８０が取り付けられている場合、緊急状態判定部１９５は、ＵＳＩＭカード１８０に記憶されている通信設定情報と通信設定情報テーブル１７２に記憶されている通信設定情報とを比較する。
【００７８】
比較により両情報が異なる場合、緊急状態判定部１９５は、緊急状態であると判定し、緊急通知部１９６に対して緊急通知するよう指示する。かかる場合に、緊急状態判定部１９５は、携帯電話機１００を見かけ上の電源ＯＦＦにする。
【００７９】
なお、見かけ上の電源ＯＦＦにせず、携帯電話機１００のすべての機能部を起動させて、ＵＳＩＭカード１８０が差し替えられた状態で携帯電話機１００を使用可能にさせてもよい。これにより、窃盗者が携帯電話機１００を安心して使用している間に緊急通知を行うことができる。
【００８０】
一方、両情報が同一の場合、緊急状態判定部１９５は、認証部１９４から受け付けた電源ＯＮ操作時の認証結果が「不当」であれば、緊急状態であると判定し、緊急通知部１９６に対して緊急通知するよう指示する。かかる場合に、緊急状態判定部１９５は、携帯電話機１００を見かけ上の電源ＯＦＦにする。
【００８１】
認証結果が「正当」であれば、緊急状態判定部１９５は、ＵＳＩＭカード１８０に記憶されている通信設定情報を通信設定情報テーブル１７２に退避する。そして、緊急フラグ１７１を「０（正当状態）」に更新するとともに、電池外れフラグ１７４を「１（電池外れ有）」に更新した後、携帯電話機１００を起動する。その後、通知済フラグ１７５が「１（通知有）」の場合には表示部１２０上に緊急通知結果を表示し、通知済フラグ１７５を「０（通知無）」に更新する。
【００８２】
次いで、（２）緊急フラグ１７１が「０（正当状態）」かつ電池外れフラグ１７４が「１（電池外れ有）」の場合について説明する。かかる場合、緊急状態判定部１９５の処理は、（１）緊急フラグ１７１が「１（不当状態）」の場合と同様である。
【００８３】
次いで、（３）緊急フラグ１７１が「０（正当状態）」かつ電池外れフラグ１７４が「０（電池外れ無）」の場合について説明する。かかる場合、緊急状態判定部１９５は、携帯電話機１００にＵＳＩＭカード１８０が取り付けられているか否かを判定する。
【００８４】
ＵＳＩＭカード１８０が取り付けられていない場合、緊急状態判定部１９５は、電池外れフラグ１７４を「１（電池外れ有）」に更新し、携帯電話機１００を起動する。その後、通知済フラグ１７５が「１（通知有）」の場合には表示部１２０上に緊急通知結果を表示し、通知済フラグ１７５を「０（通知無）」に更新する。
【００８５】
一方、ＵＳＩＭカード１８０が取り付けられている場合、ＵＳＩＭカード１８０に記憶されている通信設定情報を通信設定情報テーブル１７２に退避する。そして、緊急フラグ１７１を「０（正当状態）」に更新するとともに、電池外れフラグ１７４を「１（電池外れ有）」に更新した後、携帯電話機１００を起動する。その後、通知済フラグ１７５が「１（通知有）」の場合には表示部１２０上に緊急通知結果を表示し、通知済フラグ１７５を「０（通知無）」に更新する。
【００８６】
なお、緊急フラグ１７１が「０（正当状態）」かつ電池外れフラグ１７４が「０（電池外れ無）」の場合、認証部１９４から受け付ける電源ＯＮ操作時の認証結果に関わらず緊急通知を行わない場合を示したが、認証結果が「不当」であれば常に緊急通知を行うように構成してもよい。
【００８７】
図２の説明に戻って、緊急通知部１９６は、緊急状況を緊急連絡先に通知する機能部である。具体的には、位置特定部１９３から受信した現在位置情報や、通信設定情報テーブル１７２に記憶されている情報や、ＵＳＩＭカード１８０に記憶されている情報や、固定の緊急メッセージ等を個人情報テーブル１７３に記憶されている緊急連絡先電話番号又は緊急連絡先メールアドレスに通知する。
【００８８】
次に、図２に示した携帯電話機１００による電源ＯＦＦ操作時の処理手順について説明する。図５は、図２に示した携帯電話機１００による電源ＯＦＦ操作時の処理手順を示すフローチャートである。
【００８９】
まず、入力部１３０を介して電源ＯＦＦ操作を受け付けると（ステップＳ２０１肯定）、認証部１９４は、電源ＯＦＦ操作時に入力されたパスワードと個人情報テーブル１７３に記憶されているパスワードとが一致するか否かを認証し、その認証結果を緊急状態判定部１９５に出力する。
【００９０】
認証部１９４から認証結果を受け付けた緊急状態判定部１９５は、認証結果が「不当」である場合（ステップＳ２０２否定）、緊急状態であると判定して緊急通知部１９６に対して緊急通知するよう指示し、緊急フラグ１７１を「１（不当状態）」に更新するとともに（ステップＳ２０３）、ＵＳＩＭカード１８０に記憶されている通信設定情報を通信設定情報テーブル１７２に退避した後（ステップＳ２０４）、携帯電話機１００を見かけ上の電源ＯＦＦにする（ステップＳ２０５）。
【００９１】
緊急状態判定部１９５から指示を受け付けた緊急通知部１９６は、通信設定情報テーブル１７２に記憶されている通信設定情報に基づいて、位置特定部１９３から受け付けた現在位置情報を含む緊急状況を個人情報テーブル１７３に記憶されている緊急連絡先電話番号又は緊急連絡先メールアドレスに通知する（ステップＳ２０６）。
【００９２】
ここで、ＵＳＩＭカード１８０が取り付けられている場合であっても、通信設定情報テーブル１７２に退避された通信設定情報に基づいて緊急通知を行う。これにより、ＵＳＩＭカードアクセス部の電源を切ることができ、緊急状態にある携帯電話機１００の電池消費を低減することができる。
【００９３】
一方、認証結果が「正当」である場合（ステップＳ２０２肯定）、緊急状態判定部１９５は、電池外れフラグ１７４を「０（電池外れ無）」に更新するとともに（ステップＳ２０７）、通信設定情報テーブル１７２に記憶されている通信設定情報を削除した後（ステップＳ２０８）、携帯電話機１００の電源を切る（ステップＳ２０９）。
【００９４】
次に、図２に示した携帯電話機１００による電源ＯＮ操作時の処理手順について説明する。説明を簡単するために、ＵＳＩＭカード１８０が取り外された状態で電源ＯＮ操作された場合（図６）と、ＵＳＩＭカード１８０が取り付けられた状態で電源ＯＮ操作された場合（図７）とに分けて説明する。なお、通常の電源ＯＦＦ状態から電源ＯＮ操作された場合の処理手順と見かけ上の電源ＯＦＦ状態から電源ＯＮ操作された場合の処理手順とは同様となる。
【００９５】
最初に、ＵＳＩＭカード１８０が取り外された状態で電源ＯＮ操作された携帯電話機１００の処理手順について説明する。図６は、ＵＳＩＭカード１８０が取り外された状態で電源ＯＮ操作された携帯電話機１００の処理手順を示すフローチャートである。
【００９６】
まず、入力部１３０を介して電源ＯＮ操作を受け付けると（ステップＳ３０１肯定）、認証部１９４は、電源ＯＮ操作時に入力されたパスワードと個人情報テーブル１７３に記憶されているパスワードとが一致するか否かを認証し、その認証結果を緊急状態判定部１９５に出力する。
【００９７】
認証部１９４から認証結果を受け付けた緊急状態判定部１９５は、緊急フラグ１７１及び電池外れフラグ１７４を取得し、取得した緊急フラグ１７１が「１（不当状態）」の場合（ステップＳ３０２肯定）、若しくは、緊急フラグ１７１が「０（正当状態）」（ステップＳ３０２否定）かつ電池外れフラグ１７４が「１（電池外れ有）」の場合（ステップＳ３０３肯定）、認証結果が「不当」であれば（ステップＳ３０４否定）、緊急状態であると判定して緊急通知部１９６に対して緊急通知するよう指示し、携帯電話機１００を見かけ上の電源ＯＦＦにする（ステップＳ３０８）。
【００９８】
緊急状態判定部１９５から指示を受け付けた緊急通知部１９６は、通信設定情報テーブル１７２に記憶されている通信設定情報に基づいて、位置特定部１９３から受け付けた現在位置情報を含む緊急状況を個人情報テーブル１７３に記憶されている緊急連絡先電話番号又は緊急連絡先メールアドレスに通知する（ステップＳ３０７）。
【００９９】
一方、認証結果が「正当」であれば（ステップＳ３０４肯定）、緊急状態判定部１９５は、ＵＳＩＭカード１８０が取り外された状態で携帯電話機１００を緊急使用するか否かを利用者に問い合わせる（ステップＳ３０５）。
【０１００】
利用者が緊急使用を望む場合（ステップＳ３０５肯定）、緊急状態判定部１９５は、通信設定情報テーブル１７２に記憶されている通信設定情報を用いて携帯電話機１００を通信可能な状態にする（ステップＳ３０６）。そして、緊急状態であると判定して緊急通知部１９６に対して緊急通知するよう指示する。
【０１０１】
かかる指示を受け付けた緊急通知部１９６は、通信設定情報テーブル１７２に記憶されている通信設定情報に基づいて、位置特定部１９３から受け付けた現在位置情報を含む緊急状況を個人情報テーブル１７３に記憶されている緊急連絡先電話番号又は緊急連絡先メールアドレスに通知する（ステップＳ３０７）。
【０１０２】
利用者が緊急使用を望まない場合（ステップＳ３０５否定）、緊急状態判定部１９５は、電池外れフラグ１７４を「１（電池外れ有）」に更新し（ステップＳ３０９）、携帯電話機１００を起動する（ステップＳ３１０）。
【０１０３】
その後、通知済フラグ１７５が「１（通知有）」の場合には（ステップＳ３１１肯定）、表示部１２０上に緊急通知結果を表示し（ステップＳ３１２）、通知済フラグ１７５を「０（通知無）」に更新する（ステップＳ３１３）。
【０１０４】
緊急フラグ１７１が「０（正当状態）」（ステップＳ３０２否定）かつ電池外れフラグ１７４が「０（電池外れ無）」の場合（ステップＳ３０３否定）、緊急状態判定部１９５は、電池外れフラグ１７４を「１（電池外れ有）」に更新し（ステップＳ３０９）、携帯電話機１００を起動する（ステップＳ３１０）。
【０１０５】
その後、通知済フラグ１７５が「１（通知有）」の場合には（ステップＳ３１１肯定）、表示部１２０上に緊急通知結果を表示し（ステップＳ３１２）、通知済フラグ１７５を「０（通知無）」に更新する（ステップＳ３１３）。
【０１０６】
次に、ＵＳＩＭカード１８０が取り付けられている状態で電源ＯＮ操作された携帯電話機１００の処理手順について説明する。図７は、ＵＳＩＭカード１８０が取り付けられている状態で電源ＯＮ操作された携帯電話機１００の処理手順を示すフローチャートである。
【０１０７】
まず、入力部１３０を介して電源ＯＮ操作を受け付けると（ステップＳ４０１肯定）、認証部１９４は、電源ＯＮ操作時に入力されたパスワードと個人情報テーブル１７３に記憶されているパスワードとが一致するか否かを認証し、その認証結果を緊急状態判定部１９５に出力する。
【０１０８】
認証部１９４から認証結果を受け付けた緊急状態判定部１９５は、緊急フラグ１７１及び電池外れフラグ１７４を取得し、取得した緊急フラグ１７１が「１（不当状態）」の場合（ステップＳ４０２肯定）、若しくは、緊急フラグ１７１が「０（正当状態）」（ステップＳ４０２否定）かつ電池外れフラグ１７４が「１（電池外れ有）」の場合（ステップＳ４０３肯定）、ＵＳＩＭカード１８０に記憶されている通信設定情報と通信設定情報テーブル１７２に記憶されている通信設定情報とを比較する（ステップＳ４０４）。
【０１０９】
両情報が異なる場合（ステップＳ４０５肯定）、緊急状態判定部１９５は、緊急状態であると判定して緊急通知部１９６に対して緊急通知するよう指示し、携帯電話機１００を見かけ上の電源ＯＦＦにする（ステップＳ４０６）。
【０１１０】
かかる指示を受け付けた緊急通知部１９６は、通信設定情報テーブル１７２に記憶されている通信設定情報に基づいて、位置特定部１９３から受け付けた現在位置情報及び取り付けられているＵＳＩＭカード１８０に記憶されている情報を含む緊急状況を個人情報テーブル１７３に記憶されている緊急連絡先電話番号又は緊急連絡先メールアドレスに通知する（ステップＳ４０７）。
【０１１１】
一方、両情報が同一の場合（ステップＳ４０５否定）、認証部１９４から受け付けた電源ＯＮ操作時の認証結果が「不当」であれば（ステップＳ４０８否定）、緊急状態判定部１９５は、緊急状態であると判定して緊急通知部１９６に緊急通知するよう指示し、携帯電話機１００を見かけ上の電源ＯＦＦにする（ステップＳ４０６）。
【０１１２】
かかる指示を受け付けた緊急通知部１９６は、通信設定情報テーブル１７２に記憶されている通信設定情報に基づいて、位置特定部１９３から受け付けた現在位置情報を含む緊急状況を個人情報テーブル１７３に記憶されている緊急連絡先電話番号又は緊急連絡先メールアドレスに通知する（ステップＳ４０７）。
【０１１３】
認証結果が「正当」であれば（ステップＳ４０８肯定）、緊急状態判定部１９５は、ＵＳＩＭカード１８０に記憶されている通信設定情報を通信設定情報テーブル１７２に退避する（ステップＳ４０９）。
【０１１４】
そして、緊急フラグ１７１を「０（正当状態）」に更新するとともに（ステップＳ４１０）、電池外れフラグ１７４を「１（電池外れ有）」に更新した後（ステップＳ４１１）、携帯電話機１００を起動する（ステップＳ４１２）。
【０１１５】
その後、通知済フラグ１７５が「１（通知有）」の場合には（ステップＳ４１３肯定）、表示部１２０上に緊急通知結果を表示し（ステップＳ４１４）、通知済フラグ１７５を「０（通知無）」に更新する（ステップＳ４１５）。
【０１１６】
緊急フラグ１７１が「０（正当状態）」であり（ステップＳ４０２否定）かつ電池外れフラグ１７４が「０（電池外れ無）」である場合（ステップＳ４０３否定）、緊急状態判定部１９５は、ＵＳＩＭカード１８０に記憶されている通信設定情報を通信設定情報テーブル１７２に退避する（ステップＳ４０９）。
【０１１７】
そして、緊急フラグ１７１を「０（正当状態）」に更新するとともに（ステップＳ４１０）、電池外れフラグ１７４を「１（電池外れ有）」に更新した後（ステップＳ４１１）、携帯電話機１００を起動する（ステップＳ４１２）。
【０１１８】
その後、通知済フラグ１７５が「１（通知有）」の場合には（ステップＳ４１３肯定）、表示部１２０上に緊急通知結果を表示し（ステップＳ４１４）、通知済フラグ１７５を「０（通知無）」に更新する（ステップＳ４１５）。
【０１１９】
上述してきたように、上記実施例では、電源ＯＦＦ操作時又は電源ＯＮ操作時に認証情報の入力を受け付け、認証部１９４が受け付けた認証情報と個人情報テーブル１７３に記憶されている本人特定情報とが一致しないと判定した場合、緊急状態判定部１９５が緊急状態であると判定して緊急通知部１９６に対して緊急通知するよう指示し、かかる指示を受け付けた緊急通知部１９６が通信設定情報テーブル１７２に記憶されている通信設定情報に基づいて個人情報テーブル１７３に記憶されている緊急連絡先電話番号等に緊急通知を行うように構成したので、ＵＳＩＭカード１８０を取り外されたり差し替えられたりした場合であっても緊急状況を確実に通知することができる。
【０１２０】
なお、上記実施例では、個人認証を行い、携帯電話機１００を操作する操作者がその携帯電話機１００の正当な所有者でないと判断した場合に緊急通知を行う場合を示したが、本発明はこれに限定されるものではなく、個人認証を行うことなく緊急通知を行うように構成してもよい。具体的には、ＵＳＩＭカード１８０に記憶されている電話番号を記憶部１７０に記憶させておき、記憶部１７０に記憶されている電話番号以外の電話番号が記憶されているＵＳＩＭカードが取り付けられた場合又はＵＳＩＭカードが取り付けられていない場合に、緊急状態であると判断して緊急通知を行う。なお、記憶部１７０に記憶させる情報は電話番号に限らず、ＵＳＩＭカード１８０の識別番号（製造番号等）を記憶させるようにしてもよい。
【０１２１】
また、上記実施例では、携帯電話機１００に取り付けられるＩＣカードとしてＵＳＩＭカード１８０を示したが、本発明はこれに限定されるものではなく、加入者の識別番号を特定するための固有のＩＤ番号が記憶されたいかなるＩＣカードであってもよい。
【０１２２】
また、上記実施例では、緊急状態であると判定した場合は常に緊急通知を行う場合を示したが、本発明はこれに限定されるものではなく、「通常モード」又は「緊急モード」というモードを設け、利用者により「緊急モード」が選択されている場合のみ、上述してきたようなＵＳＩＭカード１８０に記憶されている情報を通信設定情報テーブル１７２に退避する機能や、電源ＯＮ／ＯＦＦ操作時に認証情報を入力させる機能や、緊急通知を行う機能等を実行するように構成してもよい。これにより、電源ＯＦＦ／ＯＮ操作を行う度にパスワードを入力する必要がなくなる。
【産業上の利用可能性】
【０１２３】
以上のように、本発明にかかる携帯端末装置は、所定の操作がなされた場合に緊急状況と判断して現在位置情報等を緊急連絡先に通知する携帯端末装置に有用であり、特に、ＵＳＩＭカードが取り外されたり差し替えられたりした場合であっても、緊急状況を確実に通知することが必要な場合に適している。
【図面の簡単な説明】
【０１２４】
【図１】本実施例に係る携帯電話機の概要を説明するための説明図である。
【図２】本実施例に係る携帯電話機の構成を示す機能ブロック図である。
【図３】図２に示した通信設定情報テーブルに退避するＵＳＩＭカードに記憶されている情報の一例を示す図である。
【図４】図２に示した個人情報テーブルの一例を示す図である。
【図５】図２に示した携帯電話機による電源ＯＦＦ操作時の処理手順を示すフローチャートである。
【図６】ＵＳＩＭカードが取り外された状態で電源ＯＮ操作された携帯電話機の処理手順を示すフローチャートである。
【図７】ＵＳＩＭカードが取り付けられている状態で電源ＯＮ操作された携帯電話機の処理手順を示すフローチャートである。
【符号の説明】
【０１２５】
１００  携帯電話機
１１０  通信部
１２０  表示部
１３０  入力部
１４０  スピーカ
１５０  マイクロフォン
１６０  ＧＰＳ部
１７０  記憶部
１７１  緊急フラグ
１７２  通信設定情報テーブル
１７３  個人情報テーブル
１７４  電池外れフラグ
１７５  通知済フラグ
１８０  ＵＳＩＭカード
１９０  制御部
１９１  通話処理部
１９２  メール処理部
１９３  位置特定部
１９４  認証部
１９５  緊急状態判定部
１９６  緊急通知部
【国際調査報告】
2009008087.tif 000010
2009008087.tif 000011
2009008087.tif 000012
2009008087.tif 000013
2009008087.tif 000014
2009008087.tif 000015
2009008087.tif 000016